(57)【要約】【課題】  セキュリティの高い登録情報を、ファクシミリ送信機能の一部に有効できる画像形成装置を提供すること。【解決手段】  本画像形成装置の操作パネル１０４において、手の甲の静脈パターンと指の指紋に関する情報を照合して個人認識を行うための所定の操作が行われた場合（Ｓ３１；Ｙ）、オペレータに対してＩＤ入力を促し（Ｓ３２）、正しいＩＤが入力されたならば（Ｓ３３；Ｙ）、該モードに入る。以後、オペレータは、コピー／ファクシミリ／Ｅ−ｍａｉｌ／ファイル移動処理等の操作を選択することになるが、特にファクシミリ送信が行われた場合（Ｓ３４；Ｙ）、予め高セキュリティモード用に登録されている発信元情報が自動的に付加されて、送信される（Ｓ３５）。なお、ファクシミリ送信が選択されなかった場合（Ｓ３４；Ｎ）、他に選択された操作に対応する動作を行う（Ｓ３６）。【選択図】      図３
2006262419.tif 000002
【特許請求の範囲】
【請求項１】
ファクシミリ送信機能を備えた画像形成装置であって、
手の甲の静脈パターン及び／または指の指紋を認識する個人情報認識手段と、
この個人情報認識手段で取得した個人識別情報を個人別に登録する登録手段と、
前記登録手段に登録された者のみに利用を許可する利用許可手段と、を備え、
前記登録手段には、個人別の個人識別情報と関連付けて所定の発信元情報が登録されており、
ファクシミリ送信時には、予め前記登録手段に登録されてある当該発信元情報を送信情報として送信することを特徴とする画像形成装置。
【請求項２】
前記登録手段には、個人別の個人識別情報と関連付けて個別の発信元情報も登録可能であり、
ファクシミリ送信時には、予め前記登録手段に登録されてある当該個別の発信元情報を送信情報として送信することをを特徴とする請求項１記載の画像形成装置。
【請求項３】
ファクシミリ送信機能に加え、Ｅメール送信機能を備えた画像形成装置であって、
手の甲の静脈パターン及び／または指の指紋を認識する個人情報認識手段と、
この個人情報認識手段で取得した個人識別情報を個人別に登録する登録手段と、
前記登録手段に登録された者のみに利用を許可する利用許可手段と、を備え、
前記登録手段には、個人別の個人識別情報と関連付けてＥ−ｍａｉｌアドレスが登録されており、
Ｅ−ｍａｉｌ送信時には、予め前記登録手段に登録されているＥ−ｍａｉｌアドレスを発信元アドレスとすることを特徴とする画像形成装置。
【請求項４】
ネットワークに接続可能な画像形成装置であって、
手の甲の静脈パターン及び／または指の指紋を認識する個人情報認識手段と、
この個人情報認識手段で取得した個人識別情報を個人別に登録する登録手段と、
前記登録手段に登録された者のみに利用を許可する利用許可手段と、を備え、
前記登録手段には、個人別の個人識別情報と関連付けてＩＰアドレスが登録されており、
ネットワーク上ファイル移動処理が行われた時には、予め前記登録手段に登録されているＩＰアドレスをファイル移動相手の選択肢に加えることを特徴とする画像形成装置。
【発明の詳細な説明】
【技術分野】
【０００１】
本発明は、指紋及び手の甲の静脈パターンの認識による個人識別技術を用いてセキュリティ機能を向上させた画像形成装置に関する。
【背景技術】
【０００２】
近年、ＩＴ化、ネットワーク化の進展に伴い、各種の端末と画像形成装置をネットワークで接続して効率的に事務処理を行うことが一般化している。このような環境化では、個人情報や機密情報が流出する可能性も高くなる。そこで、指紋や手の甲の静脈パターンの認識による個人識別技術を用いて、ネットワークや機器にアクセスできる者を限定して、セキュリティの保持が図られている。
【特許文献１】特開平１０−２９５６７４号公報
【特許文献２】特開２０００−２２１８５１
【特許文献３】特開２００４−１５４５４６
【０００３】
特許文献１記載の発明は、静脈パターンにより個人の識別を図る技術に関する。また、特許文献２記載の発明は、ユーザーの指紋を認識することで、当該指紋と登録指紋とを照合して、合致した場合のみ使用を許可する画像形成装置が開示されている。
特許文献３は、指紋や手の甲の静脈パターンの認識による個人識別技術を用いて、ユーザーを識別してセキュリティを高めた画像形成装置が開示されている。
【発明の開示】
【発明が解決しようとする課題】
【０００４】
ところで、従来の指紋及び手の甲の静脈パターンの認識による個人識別及び特定化技術では、例えば、これらの情報とファクシミリ送信機能、ＴＴＩ（ファクシミリ送信時に付加する発信元情報）やＥ−ｍａｉｌ送信の発信元アドレス、ネットワーク接続端末として自動的に入れる等の有効利用するものではなかった。
そこで、本発明の第１の目的は、セキュリティの高い登録情報を、ファクシミリ送信機能の一部に有効できる画像形成装置を提供することである。
本発明の第２の目的は、特に該個人認識手段に登録した人間のみ、個人別の情報を登録でき、それをファクシミリ送信機能の一部に有効利用できる画像形成装置を提供することである。
本発明の第３の目的は、特に該個人認識手段に登録した人間のみ、個人別の情報を登録でき、Ｅ−ｍａｉｌ送信機能の一部に有効利用できる画像形成装置を提供することである。
本発明の第４の目的は、特に該個人認識手段に登録した人間のみ、個人別の情報を登録でき、それをネットワーク接続端末としてファイル移動相手の選択肢として、有効利用できる画像形成装置を提供することである。
【課題を解決するための手段】
【０００５】
請求項１記載の発明では、ファクシミリ送信機能を備えた画像形成装置であって、手の甲の静脈パターン及び／または指の指紋を認識する個人情報認識手段と、この個人情報認識手段で取得した個人識別情報を個人別に登録する登録手段と、前記登録手段に登録された者のみに利用を許可する利用許可手段と、を備え、前記登録手段には、個人別の個人識別情報と関連付けて所定の発信元情報が登録されており、ファクシミリ送信時には、予め前記登録手段に登録されてある当該発信元情報を送信情報として送信することにより、前記第１の目的を達成する。
請求項２記載の発明では、請求項１記載の発明において、前記登録手段には、個人別の個人識別情報と関連付けて個別の発信元情報も登録可能であり、ファクシミリ送信時には、予め前記登録手段に登録されてある当該個別の発信元情報を送信情報として送信することにより、前記第２の目的を達成する。
【０００６】
請求項３記載の発明では、ファクシミリ送信機能に加え、Ｅメール送信機能を備えた画像形成装置であって、手の甲の静脈パターン及び／または指の指紋を認識する個人情報認識手段と、この個人情報認識手段で取得した個人識別情報を個人別に登録する登録手段と、前記登録手段に登録された者のみに利用を許可する利用許可手段と、を備え、前記登録手段には、個人別の個人識別情報と関連付けてＥ−ｍａｉｌアドレスが登録されており、Ｅ−ｍａｉｌ送信時には、予め前記登録手段に登録されているＥ−ｍａｉｌアドレスを発信元アドレスとすることにより、前記第３の目的を達成する。
【０００７】
請求項４記載の発明では、ネットワークに接続可能な画像形成装置であって、手の甲の静脈パターン及び／または指の指紋を認識する個人情報認識手段と、この個人情報認識手段で取得した個人識別情報を個人別に登録する登録手段と、前記登録手段に登録された者のみに利用を許可する利用許可手段と、を備え、前記登録手段には、個人別の個人識別情報と関連付けてＩＰアドレスが登録されており、ネットワーク上ファイル移動処理が行われた時には、予め前記登録手段に登録されているＩＰアドレスをファイル移動相手の選択肢に加えることにより、前記第４の目的を達成する。
【発明の効果】
【０００８】
請求項１記載の発明では、静脈パターン及び指紋に関する情報で個人認識されたオペレータのみ、ファクシミリ送信時に自動的に専用のＴＴＩ（ファクシミリ送信時に付加する発信元情報）を付加してくれるので、高セキュリティ時のファクシミリ送信時利便性向上を実現できる。
請求項２記載の発明では、静脈パターン及び指紋に関する情報で個人認識されたオペレータのみ、特にＴＴＩの内容を個別に登録でき、ファクシミリ送信時に自動的に該ＴＴＩを付加してくれるので、より利便性向上を実現できる。
請求項３記載の発明では、静脈パターン及び指紋に関する情報で個人認識されたオペレータのみ、特にＥ−ｍａｉｌアドレスを個別に登録でき、Ｅ−ｍａｉｌ送信時に自動的に発信元アドレスとしてくれるので、高セキュリティ時のＥ−ｍａｉｌ送信時利便性向上を実現できる。
請求項４記載の発明では、静脈パターン及び指紋に関する情報で個人認識されたオペレータのみ、特にＩＰアドレス等のネットワーク情報を個別に登録でき、ネットワーク利用によるファイル移動時等に自動的に移動相手の選択肢としてくれるので、高セキュリティ時のネットワーク利用時のファイル移動等利便性向上を実現できる。
【発明を実施するための最良の形態】
【０００９】
以下、本発明の好適な実施の形態を図１ないし図９を参照して、詳細に説明する。
図１は、本発明の実施例に係る画像形成装置の構成を示したブロック図である。
この図１に示すように、この画像形成装置は、ＣＰＵ（中央演算処理装置）１０１、ＲＯＭ（リード・オンリ・メモリ）１０２、ＲＡＭ（ランダム・アクセス・メモリ）１０３、操作パネル１０４、各種センサ１０５、各種モータ１０６、Ｉ／Ｏ制御部１０７、スキャナー部１０８、読み取り制御部１０９、プロッター部１１０、書き込み制御部１１１、静脈パターン認識手段１１２、指紋認識手段１１３、認識データ記憶手段１１４、照合手段１１５、個人認識手段１１６および画情報蓄積部１１７より構成されている。
【００１０】
ＣＰＵ１０１は、本画像形成装置のシステム制御を行い、ＲＯＭ１０２に格納されているプログラムに従って、ＲＡＭ１０３をワークエリアに使用しつつ、本画像形成装置を統括する。
操作パネル１０４は、オペレータが各種設定等を行うためのパネルであり、各種センサ１０５は、紙サイズ検知やジャム検知等を行い、この各種センサ１０５の入力および負荷を駆動する各種モータ１０６の出力制御信号をＣＰＵ１０１の命令に基づいて制御を行うのがＩ／Ｏ制御部１０７である。
読み取り制御部１０９は、スキャナー部１０８を制御し、書込み制御部１１１は、プロッター部１１０の制御を行う。
静脈パターン認識手段１１２は、手の甲の静脈パターンを認識し、指紋認識手段１１３は、指の指紋を認識する。認識データ記憶手段１１４は、それらと共に入力された個人情報をデータとして記憶しておく。照合手段１１５は、認識データ記憶手段１１４に予め記憶・登録されたデータと、静脈パターン認識手段１１２および指紋認識手段１１３で取得したデータとの比較を行い、同じかどうか判定を行う。
また、静脈パターン認識手段１１２と指紋認識手段１１３は、併せて個人認識手段１１６の中で、それぞれの固有データの認識を行うものとする。
【００１１】
図２は、本発明で用いる静脈パターンおよび指紋の登録手順を示したフローチャートである。
まず、本画像形成装置の操作パネル１０４において手の甲の静脈パターンと指の指紋に関する情報を登録するモードに入るための所定の操作が行われた場合（ステップ１１；Ｙ）、オペレータに対してＩＤ入力を促し（ステップ１２）、正しいＩＤが入力されたならば（ステップ１３；Ｙ）、該モードに入り（ステップ１４）、所定の操作を操作部１０４から行うことにより、手の甲の静脈パターンと指の指紋を登録するよう促し（ステップ１５）、登録操作が終了したならば（ステップ１６；Ｙ）、手の甲の静脈パターンおよび指の指紋を登録して、該モードを終了する（ステップ１７）。
もし、正しいＩＤが入力されなかった場合は（ステップ１３；Ｎ、ステップ１８、ステップ１９；Ｎ）、該設定モードを終了する。
【００１２】
図３は、本発明の第１の実施例の処理手順を示したフローチャートである。
まず、本画像形成装置の操作パネル１０４において、手の甲の静脈パターンと指の指紋に関する情報を照合して個人認識を行う（以後、高セキュリティモードとする）ための所定の操作が行われた場合（ステップ３１；Ｙ）、オペレータに対してＩＤ入力を促し（ステップ３２）、正しいＩＤが入力されたならば（ステップ３３；Ｙ）、該モードに入る。以後、オペレータは、コピー／ファクシミリ／Ｅ−ｍａｉｌ／ファイル移動処理等の操作を選択することになるが、特にファクシミリ送信が行われた場合（ステップ３４；Ｙ）、予め、高セキュリティモード用に登録されている発信元情報が自動的に付加されて、送信される（ステップ３５）。なお、ファクシミリ送信が選択されなかった場合（ステップ３４；Ｎ）、他に選択された操作に対応する動作を行う（ステップ３６）。
【００１３】
図４は、本発明の第２の実施例の処理手順を示したフローチャートである。
ここでは、登録操作部分の処理を示し、図２との違いは、ファクシミリ送信時の発信元情報を、手の甲の静脈パターンと指の指紋に関する情報登録者各々が登録できる点である（ステップ４５、ステップ４７）。その他の処理は、図２のフローチャートと同一である。
【００１４】
図５は、本発明の第２の実施例の画像出力操作時の処理手順を示したフローチャートである。
図３との違いは、ファクシミリ送信時に、予め、高セキュリティモードにて各々が登録した発信元情報が自動的に付加されて、送信される点である（ステップ６５）。その他の処理は、図３のフローチャートと同一である。
【００１５】
図６は、本発明の第３の実施例の登録操作部分の処理手順を示したフローチャートである。
図４との違いは、Ｅ−ｍａｉｌアドレスを、手の甲の静脈パターンと指の指紋に関する情報登録者各々が登録できる点である。すなわち、手の甲の静脈パターンおよび指紋と共にファクシミリ送信時の個別発信情報・Ｅメールアドレスを登録するよう促し（ステップ７５）、登録作業が終了すると（ステップ７６；Ｙ）、手の甲の静脈パターンおよび指紋と共にファクシミリ送信時の個別発信情報・Ｅメールアドレスを登録する（ステップ７７）。その他の処理は、図４のフローチャートと同一である。
【００１６】
図７は、本発明の第３の実施例における画像出力操作時の処理手順を示したフローチャートである。
図５との違いは、ファクシミリ送信が選択されず（ステップ９４；Ｎ）、Ｅ−ｍａｉｌ送信が選択されたとき（ステップ９６；Ｙ）、予め、高セキュリティモードにて各々が登録したＥ−ｍａｉｌアドレスを自動的に発信元アドレスとして、送信される点である（ステップ９７）。その他の処理は、図５のフローチャートと同一である。
【００１７】
図８は、本発明の第３の実施例の登録操作部分の処理手順を示したフローチャートである。
図６との違いは、ＩＰアドレス・ゲートウェーアドレス等のネットワーク情報を、手の甲の静脈パターンと指の指紋に関する情報登録者各々が登録できる点である（ステップ１０５、ステップ１０７）。その他の処理は、図６のフローチャートと同一である。
【００１８】
図９は、本発明の第４の実施例における画像出力操作時の処理手順を示したフローチャートである。
図７との違いは、ネットワーク利用によるファイル移動時等に（ステップ１２８；Ｙ）、予め、高セキュリティモードにて各々が登録したＩＰアドレスを、ファイル移動相手の選択肢として、追加される点である（ステップ１２９）。その他の処理は、図７のフローチャートと同一である。
【００１９】
ところで、ここで述べている静脈パターン認識手段１１２とは、例えば、手の甲を含む所定の領域に赤外線等の光を当てて、静脈パターンが該光の透過若しくは反射成分となり、抽出するという様な仕組みであり、指紋認識手段１１３とは、例えば、静脈パターン認識手段１１２と同様な方式でも、キセノンランプとＣＣＤを用いて読取る方式でも良く、個人認識手段１１６とはそれらを共に実現するものである。
また、接続端末から送られる、所定の形式の個人識別情報ファイルは、例えば、スキャナで手の甲の静脈パターン、指紋を読み取り、所定の形式で保存したもの等があげられる。
【図面の簡単な説明】
【００２０】
【図１】本発明の実施例に係る画像形成装置の構成を示したブロック図である。
【図２】本発明で用いる静脈パターンおよび指紋の登録手順を示したフローチャートである。
【図３】本発明の第１の実施例の処理手順を示したフローチャートである。
【図４】本発明の第２の実施例の処理手順を示したフローチャートである。
【図５】本発明の第２の実施例の画像出力操作時の処理手順を示したフローチャートである。
【図６】本発明の第３の実施例の登録操作部分の処理手順を示したフローチャートである。
【図７】本発明の第３の実施例における画像出力操作時の処理手順を示したフローチャートである。
【図８】本発明の第３の実施例の登録操作部分の処理手順を示したフローチャートである。
【図９】本発明の第４の実施例における画像出力操作時の処理手順を示したフローチャートである。
【符号の説明】
【００２１】
１０１  ＣＰＵ（中央演算処理装置）
１０２  ＲＯＭ（リード・オンリ・メモリ）
１０３  ＲＡＭ（ランダム・アクセス・メモリ）
１０４  操作パネル
１０５  各種センサ
１０６  各種モータ
１０７  Ｉ／Ｏ制御部
１０８  スキャナー部
１０９  読み取り制御部
１１０  プロッター部
１１１  書き込み制御部
１１２  静脈パターン認識手段
１１３  指紋認識手段
１１４  認識データ記憶手段
１１５  照合手段
１１６  個人認識手段
１１７  画情報蓄積部
【図１】
2006262419.tif 000003
【図２】
2006262419.tif 000004
【図３】
2006262419.tif 000005
【図４】
2006262419.tif 000006
【図５】
2006262419.tif 000007
【図６】
2006262419.tif 000008
【図７】
2006262419.tif 000009
【図８】
2006262419.tif 000010
【図９】
2006262419.tif 000011